(57)【要約】【課題】二次コイルボビンから外部に引き出される二次コイルの引出し端末の周囲に耐電圧を確保するように絶縁ケース内に空間を設けても絶縁ケースを小型化できる内燃機関用点火コイルを提供する。【解決手段】外側に突出した高圧筒部３を有し、一次コイル５及び二次コイル７をそれぞれ巻回し、同心状に配設した筒状の一次コイルボビン６及び二次コイルボビン８を磁気的に結合する鉄心９，１０と、外部に出カされる高圧端子４と、これらを収納する絶縁ケース２により構成され高圧筒部３と二次コイル７の軸が略直角に交差して配置された内燃機関用点火コイル１であって、前記二次コイルボビン８は、複数の鍔１８が間隔を有して設けられ、各鍔１８間に二次コイル７が分割して巻かれ、前記二次コイルボビン８から外部に引き出される二次コイル７の引出し端末１７が前記複数の鍔１８の中で端部の鍔１８ａより内側の鍔１８ｂから引き出されて高圧端子４と接続されているようにしたものである。【選択図】図１
2010212395.tif 000002
【特許請求の範囲】
【請求項１】
外側に突出した高圧筒部を有し、一次コイル及び二次コイルをそれぞれ巻回し、同心状に配設した筒状の一次コイルボビン及び二次コイルボビンを磁気的に結合する鉄心と、外部に出カされる高圧端子と、これらを収納する絶縁ケースにより構成され高圧筒部と二次コイルの軸が略直角に交差して配置された内燃機関用点火コイル装置であって、前記二次コイルボビンは、複数の鍔が間隔を有して設けられ、各鍔間に二次コイルが分割して巻かれ、前記二次コイルボビンから外部に引き出される二次コイルの引出し端末が前記複数の鍔の中で端部の鍔より内側の鍔から引き出されて高圧端子と接続されていることを特徴とした内燃機関用点火コイル。
【請求項２】
前記引出し端末は、二次コイルの巻き終りの端末が一端に接続される接続端子であって前記接続端子の一端が前記複数の鍔の中で端部の鍔より内側の鍔に配置されて引き出され、他端が高圧端子と当接している請求項１に記載の内燃機関用点火コイル。
【発明の詳細な説明】
【技術分野】
【０００１】
本発明は、例えば自動車のエンジンの点火プラグにおいて火花放電を発生させるために高電圧を供給するモールド型の内燃機関用点火コイルに関するものである。
【背景技術】
【０００２】
従来、外側に突出した高圧筒部を有し、一次コイル及び二次コイルをそれぞれ巻回し、同心状に配設した筒状の一次コイルボビン及び二次コイルボビンを磁気的に結合する鉄心部と、外部に出カされる高圧端子と、その高圧端子と二次コイルの一端とを接続する接続端子、これらを収納する絶縁ケースにより構成され高圧筒部と二次コイルの軸が略直角に交差して配置された内燃機関用点火コイルが知られている。（特許文献１参照）
【先行技術文献】
【特許文献】
【０００３】
【特許文献１】特開２００１−２３７１３１号公報
【発明の概要】
【発明が解決しようとする課題】
【０００４】
上記従来の内燃機関用点火コイルの場合、図２に示すように、二次コイルボビン８は、複数の鍔１８が間隔を設けて設けられ、各鍔１８間に二次コイル７が分割して巻かれ、その巻き終りの端末線が端部の鍔１８ａに取り付けられて、この端部の鍔１８ａから接続端子１７が引き出されて高圧端子４と当接している。内燃機関用点火コイルは、二次コイル７の引出し端末となる接続端子１７と二次コイル７との間及び接続端子１７と絶縁ケース２との間に必要な距離Ｌを置いて二次コイル７の端末の周囲の耐電圧を確保している。
【０００５】
上記従来の内燃機関用点火コイルは、二次コイルボビンの端部の鍔から外部に引き出される二次コイルの引出し端末の周囲に耐電圧を確保するための距離を有するように絶縁ケース内に空間を設けているので、絶縁ケースが小型化できないという問題があり、改善が望まれていた。
【０００６】
本発明は、前記課題を解決するもので、二次コイルボビンから外部に引き出される二次コイルの引出し端末の周囲に耐電圧を確保するように絶縁ケース内に空間を設けても絶縁ケースを小型化できる内燃機関用点火コイルを提供するものである。
【課題を解決するための手段】
【０００７】
上記課題を解決するために請求項１に記載の発明は、外側に突出した高圧筒部を有し、一次コイル及び二次コイルをそれぞれ巻回し、同心状に配設した筒状の一次コイルボビン及び二次コイルボビンを磁気的に結合する鉄心と、外部に出カされる高圧端子と、これらを収納する絶縁ケースにより構成され高圧筒部と二次コイルの軸が略直角に交差して配置された内燃機関用点火コイルであって、前記二次コイルボビンは、複数の鍔が間隔を有して設けられ、各鍔間に二次コイルが分割して巻かれ、前記二次コイルボビンから外部に引き出される二次コイルの引出し端末が前記複数の鍔の中で端部の鍔より内側の鍔から引き出されて高圧端子と接続されていることを特徴とした内燃機関用点火コイルである。
【０００８】
また、請求項２に記載の発明は、前記引出し端末は、二次コイルの巻き終りの端末が一端に接続される接続端子であって前記接続端子の一端が前記複数の鍔の中で端部の鍔より内側の鍔に配置されて引き出され、他端が高圧端子と当接している請求項１に記載の内燃機関用点火コイルである。
【発明の効果】
【０００９】
本発明の内燃機関用点火コイルによれば、二次コイルボビンから外部に引き出される二次コイルの引出し端末は、二次コイルボビンに間隔を設けて設けられた複数の鍔の中で端部の鍔より内側の鍔から引き出されて短くなるので、絶縁ケースが小型化できるものである。
【図面の簡単な説明】
【００１０】
【図１】本発明に係る実施例１の内燃機関用点火コイルの概略断面図である。
【図２】従来例の概略断面図である。
【発明を実施するための形態】
【００１１】
以下、図面に基づいて本発明の実施の形態を説明する。図１は本発明に係る実施例１の内燃機関用点火コイルの概略断面図を示すもので、自動車のエンジンに取り付けられるモールド型の点火コイルを例示している。ただし、図１に用いる符号は、図２と同様の機能を持つものについては、同じ符号を用いるものとする。
【００１２】
図１において、内燃機関用点火コイル１は、上面が開口し、側壁２ａに高圧筒部３を外側に突出した形状の絶縁ケース２を有している。高圧筒部３には、高圧端子４を嵌めて収納している。絶縁ケース２中には、一次コイル５が巻回された筒状の一次コイルボビン６と二次コイル７が巻回された筒状の二次コイルボビン８とが、同心状に配設されて収容されている。また、高圧筒部３と二次コイル７の軸は略直角に交差して配置されている。
【００１３】
また、一次コイルボビン６及び二次コイルボビン８は鉄心９，１０により磁気的に結合している。二次コイルボビン８は、複数の鍔１８が間隔を有して設けられ、各鍔１８間に二次コイル７が分割して巻かれている。二次コイルボビン８は、複数の鍔１８の中で端部の鍔１８ａより内側に位置する、例えば２番目の鍔１８ｂに接続端子１７の電線接続部１７ａが取り付けられている。そして、接続端子１７は、一端の電線接続部１７ａに二次コイル７の巻き終りの端末線が接続され、鍔１８ｂから外部に引き出されて二次コイル７の引出し端末となっており、接続端子１７の他端が高圧端子４に接続されている。
【００１４】
内燃機関用点火コイル１は、二次コイルボビン８から外部に引き出される二次コイル７の引出し端末が、二次コイルボビン８の端部の鍔１８ａより内側に位置する鍔１８ｂから引出されて高圧端子４と接続するので、従来に比べて二次コイル７の引出し端末の長さが短くなる。
【００１５】
そのため、内燃機関用点火コイル１は、二次コイル７の引出し端末となる接続端子１７と二次コイル７との間及び接続端子１７と絶縁ケース２との間に必要な距離Ｌを設けて二次コイル７の引出し端末の周囲の耐電圧を確保しても、二次コイル７の引出し端末となる接続端子１７の周囲において、耐電圧を確保するために設ける空間が小さくてよいので絶縁ケースを小型化することができる。
【００１６】
尚、実施例１において、二次コイル７の端末線を接続端子１７と接続して、二次コイルボビン８から外部に引き出される二次コイル７の引出し端末を接続端子１７で構成するものを例示したが、二次コイル７の端末線を二次コイルボビン８の端部の鍔１８ａより内側に位置する２番目の鍔１８ｂから外部に引き出して、二次コイル７の引出し端末を二次コイル７の端末線で構成し、この二次コイル７の端末線を高圧端子４に直接接続するようにしてもよい。
【符号の説明】
【００１７】
１  内燃機関用点火コイル
２  絶縁ケース
２ａ  側壁
３  高圧筒部
４  高圧端子
５  一次コイル
６  一次コイルボビン
７  二次コイル
８  二次コイルボビン
９，１０  鉄心
１７  接続端子
１８  鍔
【図１】
2010212395.tif 000003
【図２】
2010212395.tif 000004